(57)【要約】【課題】簡単なキー操作のみで媒体間における記録情報のダビングを可能とするとともに、記録情報のみを精度良くダビングし、さらにダビング後のサーチや編集を容易にする。【解決手段】磁気記録再生部を制御する第１マイコン４とディスク記録再生部を制御する第２マイコン５ａが相互通信可能に設定される。ダビング専用本体キー（ディスクダビング本体キー２ａ，ＶＣＲダビング本体キー２ｂ）の操作による入力信号と、リモコン信号受信部３で受信したダビングを指示するリモコン信号とを第１マイコン４が検知し、入力信号の種類を判別し、磁気記録再生部を再生あるいは記録状態にし、相互通信を介して第２マイコン５ａに指示を行って、第２マイコン５ａがディスクを再生あるいは記録状態にする。これにより、ダビング専用本体キー入力またはリモコンのキー入力を一回操作することによって、ディスクとＶＣＲとの間のダビングを行うことができる。【選択図】        図１
2004220648.tif 000002
【特許請求の範囲】
【請求項１】
ディスク媒体を用いた情報の記録・再生が可能なディスク記録再生部と磁気記録媒体を用いた情報の記録・再生が可能な磁気記録再生部とが一体型に構成された記録再生装置であって、前記磁気記録再生部を制御する第１のマイクロコンピュータと、該第１のマイクロコンピュータとの間でデータの送受信が可能で、かつ前記ディスク記録再生部を制御する第２のマイクロコンピュータとを有し、前記第１のマイクロコンピュータは、ディスク媒体のディスク再生信号を磁気記録媒体にダビングする指示入力または、磁気記録媒体のＶＣＲ再生信号をディスク媒体にダビングする指示入力を受け取って前記第２のマイクロコンピュータに該指示入力情報を送信し、前記第１及び第２のマイクロコンピュータは、前記指示入力情報に応じてディスク媒体または磁気記録媒体を再生させて、再生信号を他方の媒体にダビングする処理を行い、該ダビングに際して前記ディスク再生信号または前記ＶＣＲ再生信号の記録状態を判定して、該判定結果に従って該再生信号を記録する媒体の記録動作を制御することを特徴とする記録再生装置。
【請求項２】
請求項１に記載の記録再生装置において、該記録再生装置は、ディスク媒体のディスク再生信号を磁気記録媒体にダビングする指示入力が可能なディスクダビング本体キーと、磁気記録媒体のＶＣＲ再生信号をディスク媒体にダビングする指示入力が可能なＶＣＲダビング本体キーと、ディスク媒体のディスク再生信号を磁気記録媒体にダビングする指示入力が可能なディスクダビングリモコンキー及び磁気記録媒体のＶＣＲ再生信号をディスク媒体にダビングする指示入力が可能なＶＣＲダビングリモコンキーを備えるリモコンと、前記ディスクダビングリモコンキーまたは前記ＶＣＲダビングリモコンキーの操作によって送信されたリモコン信号を受信する信号受信部と、ディスク媒体及び磁気記録媒体の再生信号を表示する表示部と、再生信号を外部機器に信号出力する出力部とを有し、前記第１のマイクロコンピュータは、前記ディスクダビング本体キーまたは前記ＶＣＲダビング本体キーの操作によるダビング指示入力信号または前記信号受信部で受信した前記リモコン信号に応じて、ダビング処理を実行する制御を行うことを特徴とする記録再生装置。
【請求項３】
請求項１または２に記載の記録再生装置において、前記ディスク媒体のディスク再生信号を磁気記録媒体にダビングする指示入力に応じて、前記ディスク記録再生部を停止状態から再生状態に切換え、ディスク媒体が再生されるタイミングに合わせて前記磁気記録再生部を停止状態から記録状態へと切換える制御を行うことを特徴とする記録再生装置。
【請求項４】
請求項１ないし３のいずれか１に記載の記録再生装置において、前記磁気記録媒体のＶＣＲ再生信号をディスク媒体にダビングする指示入力に応じて、前記磁気記録再生部を停止状態から再生状態に切換え、該磁気記録媒体が再生されるタイミングに合わせて前記ディスク記録再生部を停止状態から記録状態へと切換える制御を行うことを特徴とする記録再生装置。
【請求項５】
請求項１ないし４のいずれか１に記載の記録再生システムにおいて、ＶＣＲ再生信号をディスク媒体にダビングする際、前記磁気記録再生部で再生されているＶＣＲ再生映像が無信号の間は、前記ディスク記録再生部を一時停止状態にし、ＶＣＲ再生信号が有信号の部分のみをディスク媒体に記録する制御を行うことを特徴とする記録再生装置。
【請求項６】
請求項１ないし５のいずれか１に記載の記録再生装置において、ＶＣＲ再生信号をディスク媒体にダビングする際、前記磁気記録再生部における再生時にＶＣＲ再生映像のＶＩＳＳ（頭出し）信号を検出したとき、前記ディスク記録再生部において、ディスクタイトルを切換えてダビングする制御を行うことを特徴とする記録再生装置。
【請求項７】
請求項１ないし６のいずれか１に記載の記録再生装置において、ディスク再生信号を磁気記録媒体にダビングする際、前記ディスク記録再生部における再生時にディスク媒体に記録されたタイトルの切換りタイミングに合わせて磁気記録媒体に記録する信号にＶＩＳＳ（頭出し）信号を書込む制御を行うことを特徴とする記録再生装置。
【請求項８】
請求項１ないし７のいずれか１に記載の記録再生装置において、ＶＣＲ再生信号のディスク媒体へのダビングまたはディスク再生信号の磁気記録媒体へのダビングに際し、記録側の記録再生部を記録状態に切換える場合、再生側の記録再生部のシステム起動が終了し、実際に再生が開始されるまで、前記記録再生部の記録状態を一旦一時停止状態にすることを特徴とする記録再生装置。
【発明の詳細な説明】
【０００１】
【発明の属する技術分野】
本発明は、記録再生装置、より詳細には、ディスク再生信号の磁気記録再生装置（ＶＣＲ）へのダビング（記録）及び、ＶＣＲ再生信号のディスク媒体へのダビング（記録）を行うことができる記録再生型のディスク装置と磁気記録再生装置とを一体型とした記録再生装置に関する。
【０００２】
【従来の技術】
従来、ディスク記録再生装置及び磁気記録再生装置（ＶＣＲ：Ｖｉｄｅｏ  ＣａｓｓｅｔｔｅＲｅｃｏｒｄｅｒ）一体型の記録再生装置において、ディスクの再生信号を磁気記録媒体にダビングする場合は、ディスク再生キーを押下することによってディスクを再生状態にし、その後、ＶＣＲ記録キーを押下することによってＶＣＲを記録状態にしてダビングを行う方法がとられる。
【０００３】
また、例えば、特許文献１には、同一装置内にディスク再生部と磁気記録再生部とを備え、一つのボタンを押すだけでディスク再生部による音声／映像の再生信号を磁気記録再生部で記録可能とするワンタッチダビング機能を備えた記録再生装置が開示されている。上記特許文献１によれば、ビデオＣＤを再生してその記録情報をビデオテープにダビングする場合に、キー操作部内に設けたダビング操作ボタンを押すことによって、内部制御部がビデオＣＤ再生部を再生状態にし、ＶＣＲ側を記録状態に自動的に切替えてダビングを実行することができる。
【０００４】
【特許文献１】
特開平７−３１２０２０号公報
【０００５】
【発明が解決しようとする課題】
従来のディスク記録再生装置及び磁気記録再生装置（ＶＣＲ）一体型の記録再生装置の場合、ディスクの再生信号をビデオテープ等の磁気記録媒体にダビングする場合は、ディスク再生キーを押下することによりディスクを再生状態にし、その後、ＶＣＲ記録キー押下にてＶＣＲを記録状態にする必要があった。
【０００６】
また、ディスクの再生状態にかかわらず、ＶＣＲ側が記録状態になった時点でビデオテープに対する記録が開始されるため、例えば、ユーザが所望する本編だけをダビングする場合に、ユーザがディスクの再生映像を目で確認しながら、タイミングを合わせて記録キーを押してダビングを開始する必要があった。
【０００７】
また、ディスク再生信号をディスクタイトル毎にＶＣＲの磁気記録媒体にダビングしたい場合は、上記のごとくのダビング時の手順と同様に、任意のタイトル部分の再生開始に合わせて記録キーを押下してダビングを開始し、そのトラック再生の終了に合わせて、停止キーを押下してダビングを停止させる必要があった。
【０００８】
また、上記特許文献１に示される記録再生装置においては、例えば、ディスクエラー等によりディスクの再生が行われない場合や、ディスクの読込に時間がかかりディスク再生が始まっていない場合にも、これらディスクの再生状態にかかわらずに、ＶＣＲ側が記録状態になった時点で記録を開始し、停止キーが押下されるまで記録を継続し続けてしまうという問題があった。
【０００９】
また、ディスクでは任意にトラック指定して再生をすることができるが、ディスク信号をＶＣＲにてビデオテープにダビングした後で、ビデオテープの任意のトラックを再生して視聴する場合は、ＶＣＲでサーチを繰り返して再生信号を見ながら見たい場面を探さなければならないという煩わしさがあった。
【００１０】
また、ディスクと磁気記録媒体との間のダビングやその記録信号を視聴しやすく編集する場合には、ユーザの操作が煩雑になっており、使い勝手が非常に悪いという問題があった。
【００１１】
本発明は、上述のごとき実情に鑑みてなされたものであり、ディスク媒体を用いた情報の記録・再生が可能なディスク記録再生部と磁気記録媒体を用いた情報の記録・再生が可能な磁気記録再生部とが一体型に構成された記録再生装置において、簡単なキー操作のみで媒体間における記録情報のダビングを可能とするとともに、記録情報のみを精度良くダビングし、さらにダビング後のサーチや編集を容易にすることができるようにした記録再生装置を提供することを目的とするものである。
【００１２】
【課題を解決するための手段】
第１の技術手段は、ディスク媒体を用いた情報の記録・再生が可能なディスク記録再生部と磁気録媒体を用いた情報の記録・再生が可能な磁気記録再生部とが一体型に構成された記録再生装置であって、前記磁気記録再生部を制御する第１のマイクロコンピュータと、該第１のマイクロコンピュータとの間でデータの送受信が可能で、かつ前記ディスク記録再生部を制御する第２のマイクロコンピュータとを有し、前記第１のマイクロコンピュータは、ディスク媒体のディスク再生信号を磁気記録媒体にダビングする指示入力または、磁気記録媒体のＶＣＲ再生信号をディスク媒体にダビングする指示入力を受け取って前記第２のマイクロコンピュータに該指示入力情報を送信し、前記第１及び第２のマイクロコンピュータは、前記指示入力情報に応じてディスク媒体または磁気記録媒体を再生させて、再生信号を他方の媒体にダビングする処理を行い、該ダビングに際して前記ディスク再生信号または前記ＶＣＲ再生信号の記録状態を判定して、該判定結果に従って該再生信号を記録する媒体の記録動作を制御することを特徴としたものである。
【００１３】
第２の技術手段は、第１の技術手段において、該記録再生装置は、ディスク媒体のディスク再生信号を磁気記録媒体にダビングする指示入力が可能なディスクダビング本体キーと、磁気記録媒体のＶＣＲ再生信号をディスク媒体にダビングする指示入力が可能なＶＣＲダビング本体キーと、ディスク媒体のディスク再生信号を磁気記録媒体にダビングする指示入力が可能なディスクダビングリモコンキー及び磁気記録媒体のＶＣＲ再生信号をディスク媒体にダビングする指示入力が可能なＶＣＲダビングリモコンキーを備えるリモコンと、前記ディスクダビングリモコンキーまたは前記ＶＣＲダビングリモコンキーの操作によって送信されたリモコン信号を受信する信号受信部と、ディスク媒体及び磁気記録媒体の再生信号を表示する表示部と、再生信号を外部機器に信号出力する出力部とを有し、前記第１のマイクロコンピュータは、前記ディスクダビング本体キーまたは前記ＶＣＲダビング本体キーの操作によるダビング指示入力信号または前記信号受信部で受信した前記リモコン信号に応じて、ダビング処理を実行する制御を行うことを特徴としたものである。
【００１４】
第３の技術手段は、第１または第２の技術手段において、前記ディスク媒体のディスク再生信号を磁気記録媒体にダビングする指示入力に応じて、前記ディスク記録再生部を停止状態から再生状態に切換え、ディスク媒体が再生されるタイミングに合わせて前記磁気記録再生部を停止状態から記録状態へと切換える制御を行うことを特徴としたものである。
【００１５】
第４の技術手段は、第１ないし第３のいずれか１の技術手段において、前記磁気記録媒体のＶＣＲ再生信号をディスク媒体にダビングする指示入力に応じて、前記磁気記録再生部を停止状態から再生状態に切換え、該磁気記録媒体が再生されるタイミングに合わせて前記ディスク記録再生部を停止状態から記録状態へと切換える制御を行うことを特徴としたものである。
【００１６】
第５の技術手段は、第１ないし第４のいずれか１の技術手段において、ＶＣＲ再生信号をディスク媒体にダビングする際、前記磁気記録再生部で再生されているＶＣＲ再生映像が無信号の間は、前記ディスク記録再生部を一時停止状態にし、ＶＣＲ再生信号が有信号の部分のみをディスク媒体に記録する制御を行うことを特徴としたものである。
【００１７】
第６の技術手段は、第１ないし第５のいずれか１の技術手段において、ＶＣＲ再生信号をディスク媒体にダビングする際、前記磁気記録再生部における再生時にＶＣＲ再生映像のＶＩＳＳ（頭出し）信号を検出したとき、前記ディスク記録再生部において、ディスクタイトルを切換えてダビングする制御を行うことを特徴としたものである。
【００１８】
第７の技術手段は、第１ないし第６のいずれか１の技術手段において、ディスク再生信号を磁気記録媒体にダビングする際、前記ディスク記録再生部における再生時にディスク媒体に記録されたタイトルの切換りタイミングに合わせて磁気記録媒体に記録する信号にＶＩＳＳ（頭出し）信号を書込む制御を行うことを特徴としたものである。
【００１９】
第８の技術手段は、第１ないし第７のいずれか１の技術手段において、ＶＣＲ再生信号のディスク媒体へのダビングまたはディスク再生信号の磁気記録媒体へのダビングに際し、記録側の記録再生部を記録状態に切換える場合、再生側の記録再生部のシステム起動が終了し、実際に再生が開始されるまで、前記記録再生部の記録状態を一旦一時停止状態にすることを特徴としたものである。
【００２０】
【発明の実施形態】
図１は、本発明、ディスク記録再生部及び磁気記録再生部一体型の記録再生装置の一実施形態を説明するためのブロック図で、記録再生型のディスクとしてＤＶＤを用いた記録再生型のディスク記録再生部及び磁気記録再生部を一体に備える記録再生装置を示すものである。
【００２１】
図１において、１はＤＶＤ記録再生部及び磁気記録再生部一体型の記録再生装置、２は本体キー操作部、２ａはディスクダビング本体キー、２ｂはＶＣＲダビング本体キー、３はリモコン信号受信部、４はマイコンＡ（第１マイコン）、４ａは第１マイコンＣＰＵ、４ｂは本体キー入力検出端子、４ｃはリモコン信号入力検出端子、４ｄはマイコンＢ（第２マイコン）との相互通信用入出力端子、４ｅはＶＣＲ再生信号有／無検出用入力端子、４ｆはＶＣＲ再生信号のＶＩＳＳ信号検出用入力端子、４ｇはＶＣＲ制御及び表示／出力選択回路制御の相互通信用入出力端子、４ｈは第１マイコン用のＲＯＭ、４ｉは第１マイコン用のＲＡＭ、５は記録再生型ＤＶＤ制御部、５ａは記録再生型ＤＶＤ部制御用のマイコンＢ（第２マイコン）５ｂは第２マイコン用ＣＰＵ、５ｃはＶＣＲ再生信号入力端子、５ｄはＤＶＤ再生信号出力端子、５ｅは第１マイコンとの相互通信用入出力端子、５ｆは第２マイコン用のＲＯＭ、５ｇは第２マイコン用のＲＡＭ、６は記録再生型ＶＣＲ制御部、６ａはＶＣＲ制御及び表示／出力選択回路制御の相互通信用入出力端子、６ｂはＤＶＤ再生信号入力端子、６ｃはＶＣＲ再生信号出力端子、７は表示信号／出力信号選択回路、７ａはＶＣＲ再生信号入力端子、７ｂはＤＶＤ再生信号入力端子、７ｃはＶＣＲ制御及び表示／出力選択回路制御の相互通信用入出力端子、７ｄは表示信号及び出力信号出力端子、８は表示部、９は出力部である。
【００２２】
本実施形態による記録再生装置１に組み込まれている第１マイコン４は、中央演算処理装置であるＣＰＵ４ａと、書込み可能なメモリであるＲＡＭ４ｉ、読み出し専用メモリであるＲＯＭ４ｈ、入力端子４ｂ、４ｃ、４ｅ、４ｆ、入出力端子４ｄ、４ｇを有しており、これらは１つの基盤に組込まれ、１チップマイコンとして構成されている。
【００２３】
第１マイコン４内のＲＯＭ４ｈには、通常のコンピュータ同様、ＣＰＵ４ａの動作手順がプログラムとして記憶されていて、ＣＰＵ４ａはこのプログラムを読み出して、その指示に従った所定の動作を制御し実行する。
【００２４】
ＤＶＤ制御部５に組み込まれている第２マイコン５ａは、中央演算処理装置であるＣＰＵ５ｂと、書込み可能なメモリであるＲＡＭ５ｇ、読み出し専用メモリであるＲＯＭ５ｆ、入力端子５ｃ、出力端子５ｄ、入出力端子５ｅを有しており、これらは１つの基盤に組込まれ、１チップマイコンとして構成されている。
【００２５】
第２マイコン５ａ内のＲＯＭ５ｆには、通常のコンピュータ同様、ＣＰＵ５ｂの動作手順がプログラムとして記憶されていて、ＣＰＵ５ｂはこのプログラムを読み出して、その指示に従った所定の動作を制御し実行する。
【００２６】
第１マイコン４と第２マイコン５ａは、入出力端子４ｄ及び５ｅを介して接続され、ＩＩＣｂｕｓまたはシリアル通信により、データ（相手方制御部の状態情報）の送受信が可能な相互通信関係になっている。
【００２７】
第１マイコン４とＶＣＲ制御部６は、入出力端子４ｇ及び６ａを介して接続され、ＩＩＣｂｕｓまたはシリアル通信により、データ（相手方制御部の状態情報）の送受信が可能な相互通信関係になっている。
【００２８】
第１マイコン４と表示信号／出力信号選択回路７は、入出力端子４ｇ及び７ｃを介して接続されＩＩＣｂｕｓまたはシリアル通信により、データ（相手方制御部の状態情報）の送受信が可能な相互通信関係になっている。
【００２９】
本実施形態の記録再生装置は、ＤＶＤディスク媒体に対する情報の記録・再生が可能なディスク記録再生部とビデオテープに対する情報の記録・再生が可能な磁気記録再生部とが一体型に構成された記録再生装置であって、ディスク記録再生部と磁気記録再生部をそれぞれ制御し、相互通信可能なＶＣＲ制御マイコン（第１マイコン４）とディスク制御マイコン（第２マイコン５ａ）とを有している。そして、ダビング専用本体キー（ディスクダビング本体キー２ａ，ＶＣＲダビング本体キー２ｂ）の操作による入力信号と、リモコンの操作によって送信され、リモコン信号受信部３で受信したダビングを指示するリモコン信号とを第１マイコン４が検知し、その入力信号の種類を判別し、磁気記録再生部（ＶＣＲ）を再生あるいは記録状態にし、相互通信を介して第２マイコン５ａに指示を行って、第２マイコン５ａがディスクを再生あるいは記録状態にする。これにより、ユーザは、ダビング専用本体キーまたはリモコンのキーを一回操作することによって、ディスクとビデオテープとの間で記録情報をダビングすることができ、従来技術に比べて簡単な操作で記録すべき本編部分を確実にダビングすることが可能になる。
【００３０】
また、本発明による記録再生装置は、記録一時停止を経ることなく停止モードから記録モードになる従来技術に比べ、第１マイコン４と第２マイコン５ａとを相互通信させ、他方のマイコンの制御状態情報を受信して判別することにより、再生側における再生タイミングを検知してから実際に記録を開始するまでの時間を短縮することができ、再生開始と記録開始ポイントをより近づけることが可能となる。
【００３１】
また、ＶＣＲの再生状態あるいは記録状態を第１マイコン４が検知し、ディスクの再生状態あるいは記録状態を第２マイコン５ａが検知し、第１マイコン４と第２マイコン５ａが相互通信を介して相手方制御部の再生あるいは記録状態を判別することにより、再生側の再生状態に応じて、記録側で記録状態を一時停止または停止または記録モードに設定する。またＶＣＲ側の記録においては、頭出し信号（以下、ＶＩＳＳ信号）を書込み、ディスク側の記録においてはトラックを変えて記録を行うことにより、記録後の自動編集が可能となる。
【００３２】
また、ディスク再生信号をＶＣＲでビデオテープに記録するときに、ディスクのタイトルが切換ったタイミングに合わせて、ＶＩＳＳ信号を書込むことにより、ビデオテープを用いた視聴時には、ディスク再生信号のタイトルに準じて頭出し動作を行うことが可能となる。
【００３３】
また、ＶＣＲ再生信号をディスクに記録するときに、ＶＣＲ再生信号内のＶＩＳＳ信号毎にディスクタイトルを変えてディスクに記録することにより、ＶＣＲ再生信号の頭出し信号に準じてトラックを分けて記録することができ、ディスクを用いた視聴時には、任意のトラック指定することにより、ＶＣＲ再生の頭出しと同じポイントから再生動作を行うことが可能となる。
【００３４】
また、ＶＣＲ再生信号をディスクに記録するときに、ＶＣＲ再生信号がなくなった場合に、記録側のディスクを一時停止して、記録を一旦停止させることにより、ＶＣＲ再生信号がない部分をディスクに記録してしまうことを回避することが可能となる。
【００３５】
以下に、ＤＶＤ再生信号をＶＣＲによって磁気記録媒体に記録（ダビング）する場合の手順について説明する。第１マイコン４は、入力端子４ｂに入力したディスクダビング本体キー２ａの押下による信号を検知した場合、または、入力端子４ｃによってディスクダビングリモコンキーの操作による信号を検知した場合、入出力端子４ｄを介して第２マイコン５ａにディスクダビングキー押下情報を渡し、入出力端子４ｇを介して記録再生型ＶＣＲ制御部６を停止状態から記録一時停止状態にし、また、表示信号／出力信号選択回路７をＤＶＤ再生信号出力状態にする。
【００３６】
第２マイコン５ａは、第１マイコン４から入力したディスクダビングキー押下情報に従って、ＤＶＤを停止状態から再生状態へと変化させ、記録再生型ＤＶＤ制御部５の起動が終了してＤＶＤ再生が開始された時点で、入出力端子５ｅを介し、第１マイコン４にＤＶＤ再生の確定情報を渡す。第１マイコン４は、相互通信による第２マイコン５ａからのＤＶＤ再生の確定情報により、記録再生型ＶＣＲ制御部６を記録一時停止から記録状態へと変化させる。こうして、ＤＶＤ再生信号をＶＣＲにより磁気記録媒体に記録する処理を本体またはリモコンのダビングキーの操作のみによって実行することが可能となる。
【００３７】
次に、ＶＣＲ再生信号をＤＶＤに記録（ダビング）する場合の手順について説明する。第１マイコン４は、入力端子４ｂに入力したＶＣＲダビング本体キー２ｂの押下による信号を検知した場合、または、入力端子４ｃによってＶＣＲダビングリモコンキーの操作による信号を検知した場合、入出力端子４ｄを介して第２マイコン５ａにＶＣＲダビングキー押下情報を渡し、入出力端子４ｇを介して記録再生型ＶＣＲ制御部を停止状態から再生状態にし、また、表示信号／出力信号選択回路７をＶＣＲ再生信号出力状態にする。
【００３８】
第２マイコン５ａは、第１マイコン４から入力したＶＣＲダビングキー押下情報に従って、ＤＶＤを停止状態から記録一時停止状態へと変化させる。そして第１マイコン４は、記録再生型ＶＣＲ制御部６の起動が終了し、ＶＣＲ再生が開始された時点で、入出力端子４ｄを介し、第２マイコン５ａにＶＣＲ再生の確定情報を渡す。第２マイコン５ａは、相互通信による第１マイコン４からのＶＣＲ再生の確定情報により、記録再生型ＤＶＤ制御部５を記録一時停止から記録状態へと変化させる。こうしてＶＣＲ再生信号をＤＶＤに記録する処理を本体またはリモコンのダビングキーの操作のみによって実行することが可能となる。
【００３９】
ＶＣＲ再生信号をＤＶＤにダビングする動作を実行中、入力端子４ｅには、記録再生型ＶＣＲ制御部６から、再生している信号が有信号かまたは無信号かを示す値が入力され、これにより、第１マイコン４は、ＶＣＲ再生信号が無信号か有信号かを判別することができる。第１マイコン４は、ＶＣＲ再生信号が無信号となったとき、入出力端子４ｄを介して第２マイコン５ａに無信号情報を渡す。第２マイコン５ａは、入出力端子５ｅを介して該無信号情報を検知し、記録状態を記録状態から記録一時停止状態に変更し、ＶＣＲ再生信号の無記録部分をＤＶＤに記録しないようにする。
【００４０】
また、第２マイコン５ａは、記録の一時停止状態が一定時間継続するか、または、入出力端子５ｅを介してＶＣＲ制御部が再生状態から停止状態になったことを示す情報を受取った場合に、記録状態を記録一時停止状態から停止状態にしてダビングを中止する。
【００４１】
また、ＶＣＲ再生信号をＤＶＤにダビングする動作を実行中、入力端子４ｆには、ＶＣＲ再生信号のＶＩＳＳ信号を示す値が入力され、これにより、第１マイコン４は、ＶＣＲ再生信号内のＶＩＳＳ信号を検出することができる。第１マイコン４は、ＶＩＳＳ信号を検出すると、入出力端子４ｄを介して第２マイコン５ａにＶＩＳＳ信号情報を渡す。第２マイコン５ａは、入出力端子５ｅを介して該ＶＩＳＳ信号情報を受け取り、ＤＶＤの記録トラックを変更する。
【００４２】
また、ＤＶＤ再生信号をＶＣＲにダビングする動作を実行中、第２マイコン５ａは、ＤＶＤ再生信号のトラック切換り毎に、入出力端子５ｅを介して、第１マイコン４にトラック切換り情報を渡す。第１マイコン４は、入出力端子４ｄを介して該トラック切換わり情報を受取ると、ＶＣＲに記録している信号にＶＩＳＳ信号を書込む。
【００４３】
なお、図１においては、記録再生型ディスクとしてＤＶＤを用いたが、本発明は、ＤＶＤに限定されることなく、記録再生型ディスクとして、記録再生型のＣＤや記録再生型のハードディスクや記録再生型のＭＤを用いて構成することができる。
【００４４】
【発明の効果】
以上の説明から明らかなように、本発明の記録再生装置によれば、専用の本体キーまたは専用のリモコンキーを操作して入力するだけで、ディスク記録再生部及び磁気記録再生部をそれぞれ再生状態及び記録状態にすることができ、より簡便な操作によってディスク媒体と磁気記録媒体との間で記録情報をダビングすることができるようになる。
【００４５】
また、磁気記録再生装置制御用マイコン（第１マイコン）と記録再生型のディスク制御用マイコン（第２マイコン）との相互通信によって、再生側の再生信号情報を他方の記録側制御用マイコンに渡すことにより、記録側では、再生側の再生信号が無信号であった場合に、記録を一時停止もしくは停止させることができ、これによって再生信号の無信号部分をダビングしないようにすることができる。
【００４６】
また、相互通信によって得られる再生側の再生信号状態を示す情報に応じて、再生信号のＶＩＳＳ信号毎に記録トラックを切換え、また、再生信号のトラック切換りに合わせてＶＩＳＳ信号を書込むことが可能となり、ダビング後の視聴時及び編集時の利便性を高めることができる。
【図面の簡単な説明】
【図１】本発明によるディスク記録再生部及び磁気記録再生部一体型の記録再生装置の一実施形態を説明するためのブロック図である。
【符号の説明】
１…ＤＶＤ記録再生部及び磁気記録再生部一体型の記録再生装置、２…本体キー操作部、２ａは…ディスクダビング本体キー、２ｂ…ＶＣＲダビング本体キー、３…リモコン信号受信部、４…マイコンＡ（第１マイコン）、４ａ…第１マイコンＣＰＵ、４ｂ…本体キー入力検出端子、４ｃ…リモコン信号入力検出端子、４ｄ…マイコンＢ（第２マイコン）との相互通信用入出力端子、４ｅ…ＶＣＲ再生信号有／無検出用入力端子、４ｆ…ＶＣＲ再生信号のＶＩＳＳ信号検出用入力端子、４ｇ…ＶＣＲ制御及び表示／出力選択回路制御の相互通信用入出力端子、４ｈ…第１マイコン用のＲＯＭ、４ｉ…第１マイコン用のＲＡＭ、５…記録再生型ＤＶＤ制御部、５ａ…記録再生型ＤＶＤ部制御用の第２マイコン、５ｂ…第２マイコン用ＣＰＵ、５ｃ…ＶＣＲ再生信号入力端子、５ｄ…ＤＶＤ再生信号出力端子、５ｅ…第１マイコンとの相互通信用入出力端子、５ｆ…第２マイコン用のＲＯＭ、５ｇ…第２マイコン用のＲＡＭ、６…記録再生型ＶＣＲ制御部、６ａ…ＶＣＲ制御及び表示／出力選択回路制御の相互通信用入出力端子、６ｂ…ＤＶＤ再生信号入力端子、６ｃ…ＶＣＲ再生信号出力端子、７…表示信号／出力信号選択回路、７ａ…ＶＣＲ再生信号入力端子、７ｂ…ＤＶＤ再生信号入力端子、７ｃ…ＶＣＲ制御及び表示／出力選択回路制御の相互通信用入出力端子、７ｄ…表示信号及び出力信号出力端子、８…表示部、９…出力部。
【図１】
2004220648.tif 000003